(57)【要約】      （修正有）【課題】アクセサリー移動可能な衣服構造を提供する。【解決手段】アクセサリー移動可能な衣服構造は、衣服体１と、ストラップ２と、アクセサリー３と、を備え、ストラップが衣服体に固結された複数の固定部位２１と、各隣り合う２つの固定部位の間に設けられた複数の摺動レール２２と、を有する。アクセサリーは、本体３１と、本体上に固定された複数のループ３２と、を有し、各ループが各摺動レールをスリーブし、かつ各摺動レールに対して移動できる。アクセサリーの本体は、スリーブされることを通じて衣服体に対して移動できることで、衣服構造の使いやすさを向上する。【選択図】図１
0003231262.tif 000002
【実用新案登録請求の範囲】
【請求項１】
衣服体と、
前記衣服体に固結された複数の固定部位と、
各隣り合う２つの前記固定部位の間に設けられた複数の摺動レールと、を有するストラップと、
本体と、
前記本体上に固定された複数のループと、を有し、
各前記ループが各前記摺動レールをスリーブし、かつ各前記摺動レールに対して移動できるアクセサリーと、
を備えるアクセサリー移動可能な衣服構造。
【請求項２】
前記ストラップの両端が、前記衣服体から分離された２つの自由端を有する請求項１に記載のアクセサリー移動可能な衣服構造。
【請求項３】
前記ストラップの一端が、前記衣服体に縫い付けられ、他端が前記衣服体から分離された自由端を有する請求項１に記載のアクセサリー移動可能な衣服構造。
【請求項４】
複数の接合具をさらに含み、
各前記接合具が前記衣服体と各前記固定部位との間に接合し、かつ各前記接合具がスナップボタン、ボタンとボタン穴、面ファスナーおよび磁石のうちの１種から選択される請求項１乃至請求項３のいずれか１項に記載のアクセサリー移動可能な衣服構造。
【請求項５】
前記複数の接合具は、前記ストラップの両端に設けられた第１接合部材と、
第２接合部材と、を含み、
前記第１接合部材と前記第２接合部材が互いに接合できる請求項４に記載のアクセサリー移動可能な衣服構造。
【請求項６】
各前記ループは、Ｃ形布ループである請求項１に記載のアクセサリー移動可能な衣服構造。
【請求項７】
前記ストラップの外表面には、少なくとも１つの図案を有する請求項１に記載のアクセサリー移動可能な衣服構造。
【請求項８】
前記衣服体が、ジャケット又は上着であり、前記本体が帽子、スカーフ、手袋、又はポケットである請求項１に記載のアクセサリー移動可能な衣服構造。
【請求項９】
前記衣服体が、パンツであり、前記本体が靴下、ベルト又はポケットである請求項１に記載のアクセサリー移動可能な衣服構造。
【考案の詳細な説明】
【技術分野】
【０００１】
本考案は、衣服構造に関し、特に、アクセサリー移動可能な衣服構造に関するものである。
【背景技術】
【０００２】
梅雨と台風の季節により、日本の部分地域は年間の約三分一以上が雨季の影響を受け、屋外にいる人々は、雨に濡れないようにレインコート又は防水ウインドブレーカーを着用して体や頭を覆い、風雨を遮断する効果を奏する。
【０００３】
しかしながら、上記のレインコート又は防水ウインドブレーカーのほとんどは、直接縫い付けや係合等の固定方法で帽子を上着に接合されているため、着用者が頭を回したときに帽子が頭と一緒に大きく動くことができず、左右の視界が帽子によって遮られて安全性への影響は甚大である。したがって、帽子、手袋、ポケット等のアクセサリーを衣服に対してどのように動かすかは、当業者の研究の重点である。
【０００４】
これに鑑み、本考案者は、上記の従来技術の欠陥に対し、鋭意研究を重ねると共に学理の運用を組み合わせ、上記問題点を解決することに努めた結果、本考案者の改良の目標となった。
【考案の概要】
【考案が解決しようとする課題】
【０００５】
本考案は、各ループが各摺動レールをスリーブし、かつ各摺動レールに対して移動できることによって、アクセサリーの本体を衣服体に対して移動させることもできることで、衣服構造の使いやすさを向上するためのアクセサリー移動可能な衣服構造を提供する。
【課題を解決するための手段】
【０００６】
本考案の実施例において、本考案は、アクセサリー移動可能な衣服構造を提供する。前記アクセサリー移動可能な衣服構造は、衣服体と、前記衣服体に固結された複数の固定部位と各隣り合う２つの前記固定部位の間に設けられた複数の摺動レールとを有するストラップと、本体と前記本体上に固定された複数のループとを有し、各前記ループが各前記摺動レールをスリーブし、かつ各前記摺動レールに対して移動できるアクセサリーと、を備える。
【考案の効果】
【０００７】
上記に基づき、衣服構造は、複数の接合具をさらに含み、各接合具が衣服体と各固定部位との間を接合し、ストラップが接合具を通じて衣服体から取り外すことができ、アクセサリーがループを介してストラップから滑り出すと、アクセサリーを衣服体から分離できることで、衣服構造がアクセサリーの簡単な着脱という利点を持たせることを実現する。
【図面の簡単な説明】
【０００８】
【図１】本考案の衣服構造の立体組立図である。
【図２】本考案の衣服構造の立体分解図である。
【図３】本考案の衣服構造の使用状態を示す概略図である。
【図４】本考案の衣服構造の別の使用状態を示す概略図である。
【図５】本考案の別の実施例に係る衣服構造の使用状態を示す概略図である。
【図６】本考案の更なる実施例に係る衣服構造の立体分解図である。
【考案を実施するための形態】
【０００９】
以下、本考案の詳細な説明及び技術内容は、図面を参照しつつ説明するが、図面は例示のみを目的としており、本考案を限定することを意図するものではない。
【００１０】
図１乃至図４を参照すると、本考案は、アクセサリー移動可能な衣服構造を提供し、この衣服構造１０が主に衣服体１と、ストラップ２と、アクセサリー３と、を備える。
【００１１】
図１乃至図４に示すように、衣服体１は、ジャケット、上着又はパンツであり得る。ここで、本実施例の衣服体１は、ジャケットであるが、これに限定されない。
【００１２】
図１乃至図４に示すように、ストラップ２は、衣服体１に固結された複数の固定部位２１と、各隣り合う２つの固定部位２１の間に設けられた複数の摺動レール２２と、を有する。ここで、本実施例のストラップ２の両端は、衣服体１から分離された２つの自由端２３を有するが、これに限定されない。
【００１３】
図１乃至図３に示すように、アクセサリー３は、本体３１と、本体３１に固定された複数のループ３２と、を有し、各ループ３２が各摺動レール２２をスリーブし、かつ各摺動レール２２に対して移動することができる。この各ループ３２は、Ｃ形布ループ３３又はＯ形布ループであり得るが、本実施例に限定されない。
【００１４】
なお、本実施例の本体３１は、帽子であるが、これに限定されない。衣服体１がジャケット又は上着である場合、本体３１は、帽子、スカーフ、手袋、又はポケットであり得る。衣服体１がパンツである場合、本体３１は、靴下、ベルト又はポケットであり得る。
【００１５】
図１乃至図４に示すように、本考案の衣服構造１０は、複数の接合具４をさらに含み、各接合具４が衣服体１と各固定部位２１との間に接合し、かつ各接合具４がスナップボタン、ボタンとボタン穴、面ファスナーおよび磁石のうちの１種から選択され、かつストラップ２の両端の自由端２３は、衣服体１から分離されているので、ストラップ２が接合具４を通じて衣服体１に組み付け又は取り外すことができる。この本実施例の接合具４は、スナップボタンであるが、これに限定されない。
【００１６】
なお、複数の接合具４は、ストラップ２の両端に設けられた第１接合部材４１と、第２接合部材４２と、を含み、第１接合部材４１と第２接合部材４２が互いに接合できる。
【００１７】
図２乃至図３に示すように、本考案の衣服構造１０の使用状態は、各ループ３２が各摺動レール２２をスリーブし、かつ各摺動レール２２に対して移動できることによって、アクセサリー３の本体３１を衣服体１に対して移動させることもできることで、衣服構造１０の使いやすさを向上する。
【００１８】
詳細な説明は以下の通りである。本実施例の衣服体１は、ジャケットであり、本体３１は帽子である。着用者は頭を回すと、帽子（本体３１）が頭に追従して大きな動きをすることができるので、左右の視界が帽子（本体３１）によって遮られることなく、鮮明な視界を維持する。
【００１９】
また、ストラップ２は、接合具４を通じて衣服体１から取り外すことができ、アクセサリー３がループ３２を介してストラップ２から滑り出すと、アクセサリー３を衣服体１から分離できることで、衣服構造１０がアクセサリー３の簡単な着脱という利点を持たせることを実現する。
【００２０】
さらに、図４を参照すると、本考案の衣服構造１０の別の使用状態を示す模式図である。まずストラップ２を衣服体１から取り外し、衣服体１を畳んでからストラップ２を衣服体１に巻き付け、最後に第１接合部材４１と第２接合部材４２を互いに接合すると、ストラップ２で衣服体１をまとめる機能を達成し、衣服構造１０が収納しやすい効果を持たせる。
【００２１】
図５を参照すると、本考案の衣服構造１０の別の実施例であり、図５の実施例は、図１乃至図４の実施例とほぼ同じである。図５の実施例と図１乃至図４の実施例との相違点は、ストラップ２の外表面に１つ又は複数の図案２４を有し、ストラップ２を装飾品として衣服体１に別個に固結することもできるということである。
【００２２】
図６を参照すると、本考案の衣服構造１０の更なる実施例であり、図６の実施例は、図１乃至図４の実施例とほぼ同じである。図６の実施例と図１乃至図４の実施例との相違点は、ストラップ２の一端が衣服体１に縫い付けられ、他端が衣服体１から分離された自由端２３を有し、ストラップ２の一端が衣服体１に固定されているので、ストラップ２の紛失を防ぐことができ、衣服構造１０の使いやすさをより高めることである。
【００２３】
上記をまとめると、本考案のアクセサリーが移動可能な衣服構造は、意図した用途を達成し、従来の欠陥を解決することができ、産業上の利用可能性、新規性及び進歩性を有し、特許出願要件に完全に適合するので、特許法に基づいて出願し、考案者の権利を保障するため、何卒ご審理の上、速やかに特許査定賜りますようお願いする次第である。
【符号の説明】
【００２４】
１０  衣服構造
１    衣服体
２    ストラップ
２１  固定部位
２２  摺動レール
２３  自由端
２４  図案
３    アクセサリー
３１  本体
３２  ループ
３３  Ｃ形布ループ
４    接合具
４１  第１接合部材
４２  第２接合部材
【図１】
0003231262.tif 000003
【図２】
0003231262.tif 000004
【図３】
0003231262.tif 000005
【図４】
0003231262.tif 000006
【図５】
0003231262.tif 000007
【図６】
0003231262.tif 000008